(57)【要約】【課題】ユーザの不快感を軽減することができる無線通信機器を提供する。【解決手段】無線通信機器１００は、スピーカ装置２００に対してストリーミングデータを無線により送信するとともに、当該無線通信機器１００のバッテリ１４０及びスピーカ装置２００のバッテリ２４０のうち少なくとも一方のバッテリに関するバッテリ情報を取得する。そして無線通信機器１００は、当該バッテリ情報に基づき、当該無線通信機器１００がストリーミングデータを送信完了した場合に、バッテリ残量が低下した旨の報知を行うことにより、ユーザの不快感を軽減することができる。【選択図】  図２
2011160161.tif 000002
【特許請求の範囲】
【請求項１】
バッテリと、
外部機器に対して、１以上のストリーミングデータを無線通信により送信する無線通信手段と、
前記外部機器及び前記バッテリのうち少なくとも一方に関するバッテリ情報を取得する取得手段と、
前記取得手段が取得した前記バッテリ情報に基づき、前記ストリーミングデータの送信完了後にバッテリ残量が低下した旨を報知するとともに、新たなストリーミングデータの送信を行わない制御手段と
を備えることを特徴とする無線通信機器。
【請求項２】
前記報知手段は、バッテリ残量が低下した旨を示す報知音のストリーミングデータを前記外部機器に対して前記無線通信により送信することにより、前記報知を行うことを特徴とする請求項１記載の無線通信機器。
【請求項３】
前記取得手段は、前記バッテリの残量に関する前記バッテリ情報を取得し、
前記報知手段は、前記バッテリ情報に基づいて、前記バッテリの残量が一定値以下の場合、前記ストリーミングデータの送信完了後に、前記報知を行う
ことを特徴とする請求項１記載の無線通信機器。
【請求項４】
前記取得手段は、前記バッテリの残量に関するバッテリ情報、及び前記外部機器のバッテリの残量に関する前記バッテリ情報を前記無線通信により取得し、
前記報知手段は、前記バッテリ情報に基づき、前記外部機器のバッテリ及び前記バッテリのうち少なくとも一方のバッテリの残量が一定値以下の場合、前記ストリーミングデータを送信完了後に前記報知を行う
ことを特徴とする請求項１記載の無線通信機器。
【請求項５】
前記取得手段は、前記バッテリ情報を、前記ストリーミングデータの送信完了の一定時間前に取得する
ことを特徴とする請求項１記載の無線通信機器。
【請求項６】
前記取得手段は、前記ストリーミングデータの送信が完了した場合に前記バッテリ情報を取得する
ことを特徴とする請求項１記載の無線通信機器。
【請求項７】
前記取得手段は、前記外部機器に対して前記バッテリ情報を含む通知を要求する
ことを特徴とする請求項１記載の無線通信機器。
【請求項８】
バッテリと、
外部機器から、無線通信によりストリーミングデータを受信する無線通信手段と、
前記外部機器及び前記バッテリのうち少なくとも一方に関するバッテリ情報を取得するバッテリ情報取得手段と、
前記無線通信手段が受信した前記ストリーミングデータの音声を出力する音声出力手段と、
前記取得手段が取得した前記バッテリ情報に基づいて、前記ストリーミングデータの音声出力完了後に報知を行う報知手段と
を備え、
前記音声出力手段は、前記報知手段が報知した後、新たなストリーミングデータの音声を出力しない
ことを特徴とする無線通信機器。
【請求項９】
前記バッテリ情報取得手段は、前記バッテリの残量に関する前記バッテリ情報を取得し、
前記報知手段は、前記バッテリ情報に基づいて、前記バッテリの残量が一定値以下の場合、前記ストリーミングデータの音声出力後に前記報知を行う
ことを特徴とする請求項８記載の無線通信機器。
【請求項１０】
前記取得手段は、前記外部機器のバッテリの残量に関する前記バッテリ情報を無線通信により取得し、
前記報知手段は、前記バッテリ情報に基づいて、前記外部機器のバッテリ及び前記バッテリのうち少なくとも一方のバッテリの残量が一定値以下の場合、前記ストリーミングデータの音声出力完了後に前記報知を行う
ことを特徴とする請求項８記載の無線通信機器。
【請求項１１】
前記外部機器から、前記ストリーミングデータについての再生位置情報を取得する再生位置取得手段を更に備え、
前記報知手段は、前記再生位置情報に基づいて、前記ストリーミングデータの音声出力完了後に前記報知を行う
ことを特徴とする請求項７記載の無線通信機器。
【請求項１２】
前記無線通信手段は、前記バッテリ情報に基づいて、前記ストリーミングデータの音声出力完了後に、前記外部機器との無線通信接続を切断する
ことを特徴とする請求項８記載の無線通信機器。
【請求項１３】
前記取得手段は、前記ストリーミングデータの送信完了の一定時間前に前記バッテリ情報を取得する
ことを特徴とする請求項８記載の無線通信機器。
【請求項１４】
前記取得手段は、前記ストリーミングデータの送信が完了した場合に前記バッテリ情報を取得する
ことを特徴とする請求項８記載の無線通信機器。
【請求項１５】
バッテリを備え、外部機器にストリーミングデータを通信する無線通信機器におけるバッテリ残量報知方法であって、
ストリーミングデータを無線通信により送信又は受信するステップと、
前記バッテリ及び前記外部機器のうち少なくとも一方に関するバッテリ情報を取得するステップと、
取得した前記バッテリ情報に基づき、前記ストリーミングデータの通信が完了した場合にバッテリ残量が低下した旨の報知を行うステップと
を備えることを特徴とするバッテリ残量報知方法。
【発明の詳細な説明】
【技術分野】
【０００１】
本発明は無線通信機器及びバッテリ残量報知方法に関する。
【背景技術】
【０００２】
バッテリ駆動する無線通信機器において、音声データや映像データ等のストリーミングデータを無線伝送する技術がある。例えば、音楽再生装置が音声データをＢｌｕｅｔｏｏｔｈ等の無線通信によりワイヤレススピーカに送信し、当該ワイヤレススピーカが音声を出力する技術等である。
【０００３】
ここで、バッテリ駆動の無線通信機器の電池残量が一定値を下回った場合に警告音を出力する技術がある（例えば特許文献１）。特許文献１には、オーディオプレーヤは電池の残量がある一定の値を下回った場合に警告音をヘッドフォンへ送信し、ヘッドフォンが当該警告音をスピーカから出力する技術や、ヘッドフォンが、内蔵した電池の残量がある一定の値を下回った場合に警告音をスピーカから出力する技術が開示されている。
【先行技術文献】
【特許文献】
【０００４】
【特許文献１】特開２００２−１１２３８３
【発明の概要】
【発明が解決しようとする課題】
【０００５】
ところで、音声データや映像データ等のストリーミングデータを無線伝送して当該ストリーミングデータを再生する場合において、ストリーミングデータの再生途中に警告等の処理が行われると、当該警告により再生中の音声や映像が遮られることとなり、ユーザに不快感を与える恐れがある。しかしながら特許文献１の技術は、電池の残量が一定値を下回った場合に警告音を出力するものであり、ユーザの不快感を軽減することはできない。
【０００６】
そこで本発明は、ユーザの不快感を軽減することができる無線通信機器及びバッテリ残量報知方法を提供することを目的とする。
【課題を解決するための手段】
【０００７】
上記の課題を解決するために、請求項１に記載の無線通信機器は、バッテリと、外部機器に対して、１以上のストリーミングデータを無線通信により送信する無線通信手段と、前記外部機器及び前記バッテリのうち少なくとも一方に関するバッテリ情報を取得する取得手段と、前記取得手段が取得した前記バッテリ情報に基づき、前記ストリーミングデータの送信完了後にバッテリ残量が低下した旨を報知するとともに、新たなストリーミングデータの送信を行わない制御手段とを備えることを特徴とする。
【０００８】
また、請求項５に記載の無線通信機器は、バッテリと、外部機器から、無線通信によりストリーミングデータを受信する無線通信手段と、前記外部機器及び前記バッテリのうち少なくとも一方に関するバッテリ情報を取得するバッテリ情報取得手段と、前記無線通信手段が受信した前記ストリーミングデータの音声を出力する音声出力手段と、前記取得手段が取得した前記バッテリ情報に基づいて、前記ストリーミングデータの音声出力完了後に報知を行う報知手段とを備え、前記音声出力手段は、前記報知手段が報知した後、新たなストリーミングデータの音声を出力しないことを特徴とする。
【０００９】
また、請求項１０記載のバッテリ残量報知方法は、バッテリを備え、外部機器にストリーミングデータを通信する無線通信機器におけるバッテリ残量報知方法であって、ストリーミングデータを無線通信により送信又は受信するステップと、前記バッテリ及び前記外部機器のうち少なくとも一方に関するバッテリ情報を取得するステップと、取得した前記バッテリ情報に基づき、前記ストリーミングデータの通信が完了した場合にバッテリ残量が低下した旨の報知を行うステップとを備えることを特徴とする。
【発明の効果】
【００１０】
上記の無線通信機器及びバッテリ残量報知方法に拠れば、ユーザの不快感を軽減することができる。
【図面の簡単な説明】
【００１１】
【図１】本発明の第１実施形態に係る無線通信システムの利用形態を示す図。
【図２】本発明の第１実施形態に係る無線通信システムのシステム構成を示す図。
【図３】本発明の第１実施形態に係る無線通信機器の動作手順を示す図。
【図４】本発明の第１実施形態に係る無線通信機器の動作手順を示す図。
【図５】本発明の第２実施形態に係るスピーカ装置の動作手順を示す図。
【図６】本発明の第２実施形態に係るスピーカ装置の動作手順を示す図。
【図７】本発明の第２実施形態に係るスピーカ装置の動作手順を示す図。
【発明を実施するための形態】
【００１２】
（第１実施形態）
以下、図面を参照して本発明の第１実施形態を説明する。
図１は、本実施形態に係る無線通信システムの利用形態を示す図である。本無線通信システムは、無線通信機器１００とスピーカ装置２００とを備えている。そして無線通信機器１００は、無線通信部１１０、音声出力部１２０、表示部１３０、バッテリ１４０（非図示）等を備えている。またスピーカ装置２００は、無線通信部２１０、音声出力部２２０、表示部２３０、バッテリ２４０（非図示）等を備えている。
【００１３】
ここで無線通信機器１００は、当該無線通信機器１００に格納されているコンテンツの音声データや映像データ等をストリーミングデータとしてスピーカ装置２００に送信するとともに送信中のストリーミングデータの当該送信時刻における再生位置を検出することができる。またスピーカ装置２００は当該ストリーミングデータの音声を音声出力部２２０から出力するとともに、出力中のストリーミングデータの再生位置に関する情報を無線通信機器１００から取得することができる。
【００１４】
以下、本実施形態において、主に音声データのストリーミングデータの送信について説明を行うものとし、無線通信はＢｌｕｅｔｏｏｔｈを使用することとして説明を行う。当該音声データはＢｌｕｅｔｏｏｔｈのＡ２ＤＰ（Ａｄｖａｎｃｅｄ  Ａｕｄｉｏ  Ｄｉｓｔｒｉｂｕｔｉｏｎ  Ｐｒｏｆｉｌｅ）を用いて、再生位置情報等や、その他再生指示やバッテリ情報の伝送等に関する制御系の信号はＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）により伝送を行うこととして説明を行う。しかしながら、必ずしもこれらのプロファイルを用いる必要は無く、別のプロファイルにて実装することも可能である。また、必ずしも無線通信としてＢｌｕｅｔｏｏｔｈを使用する必要は無く、別の無線通信にて実装することも可能である。
【００１５】
そして、無線通信機器１００及びスピーカ装置２００は自装置のバッテリ残量を検出するとともに、互いの装置のバッテリ残量情報を取得することができる。そして本実施形態の通信システムは、無線通信機器１００が、無線通信機器１００及びスピーカ装置２００のバッテリの残量を示すバッテリ情報を取得し、無線通信機器１００及びスピーカ装置２００のうち少なくとも一方の装置のバッテリ残量が一定値以下になった場合、送信中のストリーミングデータの送信が完了した後（１つのコンテンツの再生終了後）に当該バッテリ残量低下の旨の警告を行い、ストリーミングデータの再生中に当該警告がなされることによりユーザに不快感を与えることを防ぐことができるものである。
【００１６】
次に図２を参照して無線通信機器１００及びスピーカ装置２００のシステム構成を説明する。
無線通信機器１００は、無線通信部１１０、音声出力部１２０、表示部１３０、バッテリ１４０、処理部１５０、記憶部１６０等を備えている。
無線通信部１１０は、スピーカ装置２００等の外部機器とＢｌｕｅｔｏｏｔｈ等の通信方式による無線通信を行う。ここで無線通信部１１０は、例えば映像データ及び音声データ等のストリーミングデータ、無線通信機器１００のバッテリ情報、コンテンツの再生時間長情報、ストリーミングデータの再生位置情報等を送信するとともに、外部機器から当該外部機器のバッテリ情報を受信することができる。
【００１７】
なお、本実施形態では、無線通信機器１００が音声データのストリーミングデータをスピーカ装置２００に送信するとして説明を行うが、無線通信機器１００は、例えば無線通信により映像データのストリーミングデータを受信することが可能な携帯型プレーヤ等に対して映像データのストリーミングデータを送信しても良い。
【００１８】
音声出力部１２０は、音声を出力するスピーカであり、バッテリ残量低下通知音等を出力する。また表示部１３０は、映像を出力するディスプレイである。そしてバッテリ１４０は、無線通信機器１００の駆動電力を供給する。また処理部１５０は、記憶部１６０に格納された制御アプリケーション１７０を実行するプロセッサである。
【００１９】
記憶部１６０は、データ及び無線通信機器１００において実行されるアプリケーションを記憶する機能を有しており、例えば制御アプリケーション１７０、コンテンツである音声データ１８０や映像データ１９０等を記憶している。
【００２０】
ここで制御アプリケーション１７０は、再生制御部１７１、無線通信制御部１７２、コンテンツ情報取得部１７３、バッテリ情報取得部１７４、報知制御部１７５、動作制御部１７６等から構成されている。
【００２１】
再生制御部１７１は、音声データ１８０及び映像データ１９０の再生処理を行う。なお、ここで再生処理とは、再生制御部１７１が音声データ１８０や映像データ１９０を無線通信制御部１７２に出力してスピーカ装置２００へ送信することをいう。また再生制御部１７１は、音声データ１８０及び映像データ１９０が、スピーカ装置２００にストリーミング送信可能な形式でない場合、当該音声データ及び映像データ１９０をスピーカ装置２００にストリーミング送信可能な形式のストリーミングデータに符号化して無線通信制御部１７２に出力する。
【００２２】
無線通信制御部１７２は、無線通信部１１０を制御して外部機器との無線通信接続の確立／切断を行い、当該無線通信接続が確立している際にストリーミングデータの送信及び各種要求を送受信する。即ち無線通信制御部１７２は、再生制御部１７１から入力されたストリーミングデータを無線通信部１１０から送信し、また、制御アプリケーション１７０の各機能ブロックから各種要求の送信を指示された場合、当該要求を無線通信部１１０から外部機器に対して送信する。
【００２３】
コンテンツ情報取得部１７３は、無線通信部１１０から送信するストリーミングデータの再生時間の長さ（コンテンツの再生時間長）を示す再生時間長情報、及び無線通信部１１０が現在送信しているストリーミングデータにおける現在の再生位置についての再生位置情報を再生制御部１７１から取得する。またコンテンツ情報取得部１７３は、無線通信部１１０がストリーミングデータの送信を完了したときに、次に送信すべきコンテンツ（音声データ）があるか否かを判別し、送信すべきコンテンツがある場合、当該コンテンツの再生時間長情報を取得する。
【００２４】
またコンテンツ情報取得部１７３は、外部機器から現在再生中のストリーミングデータに対応するコンテンツ（音声データ）の再生時間長情報を要求する再生時間長情報要求や現在再生中のコンテンツの現在の再生位置情報を要求する再生位置情報要求があった場合に、当該要求に対してコンテンツ情報取得部１７３が取得した再生時間長情報や再生位置情報を当該外部機器に送信するよう、無線通信制御部１７２に指示する。
【００２５】
バッテリ情報取得部１７４は、無線通信機器１００のバッテリ１４０及びスピーカ装置２００のバッテリ２４０に関するバッテリ情報を取得することができる。ここでバッテリ情報取得部１７４は、バッテリ１４０から残量に関するバッテリ情報を取得する。
【００２６】
一方バッテリ情報取得部１７４は、スピーカ装置２００のバッテリ２４０に関するバッテリ情報を取得する場合、スピーカ装置２００に対するバッテリ情報要求の送信を無線通信制御部１７２に指示する。そしてバッテリ情報取得部１７４は、当該バッテリ情報要求に対する応答としてスピーカ装置２００から送信され、無線通信部１１０が受信するバッテリ情報を取得する。なおバッテリ情報取得部１７４は、スピーカ装置２００に対してバッテリ情報要求を一定の時間間隔で送信しても良い。なお当該バッテリ情報要求の時間間隔は、動作制御部１７６からの指示に基づく間隔であってもよい。さらにバッテリ情報取得部１７４は、コンテンツの再生時間長情報と再生位置情報とに基づいて算出される１つのストリーミングデータの終端の位置、即ち無線通信部１１０が１のコンテンツについてのストリーミングデータを送信完了したときにバッテリ情報要求を送信しても良く、あるいはストリーミングデータの送信完了の一定時間前に当該バッテリ情報要求を送信しても良い。
【００２７】
またバッテリ情報取得部１７４は、スピーカ装置２００が自発的にバッテリ情報を含む通知を送信するよう、当該スピーカ装置２００にバッテリ情報通知要求を行うこともできる。例えばバッテリ情報取得部１７４が、無線通信制御部１７２を介してＢｌｕｅｔｏｏｔｈのＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）でのＶＥＮＤＥＲ  ＤＥＰＥＮＤＥＮＴコマンドのＲｅｇｉｓｔｅｒＮｏｒｔｉｆｉｃａｔｉｏｎにてＥＶＥＮＴ＿ＢＡＴＴ＿ＳＴＡＴＵＳ＿ＣＨＡＮＧＥＤを指定したバッテリ情報通知要求をスピーカ装置２００へ送信すると、その後、スピーカ装置２００は、当該スピーカ装置２００のバッテリ残量が低下するとバッテリ残量低下した旨を無線通信機器１００に通知する。
【００２８】
なお、無線通信機器１００の通信相手の外部機器（本実施形態ではスピーカ装置２００）は、必ずしも自発的にバッテリ情報を通知できるとは限らないが、無線通信機器１００は、通信相手の外部機器に対してバッテリ情報通知可否応答要求を送信することにより、当該外部機器が自発的にバッテリ情報を送信可能か否かについて判定することができる。
【００２９】
ここでバッテリ情報取得部１７４は、例えばＢｌｕｅｔｏｏｔｈのＡＶＲＣＰでのＶＥＮＤＥＲ  ＤＥＰＥＮＣＥＮＴコマンドのＧｅｔＣａｐａｂｉｌｉｔｉｅｓにＥＶＥＮＴＳ＿ＳＵＰＰＯＲＴＥＤを指定したバッテリ情報通知可否応答要求をスピーカ装置２００に送信し、当該応答要求に対する応答の中にＥＶＥＮＴ＿ＢＡＴＴ＿ＳＴＡＴＵＳ＿ＣＨＡＮＧＥＤが含まれるか否かにより、バッテリ情報を自発的に送信可能か否かの判定を行う。より具体的には、無線通信機器１００が送信したバッテリ情報通知可否応答要求に対するスピーカ装置２００からの応答の中にＥＶＥＮＴ＿ＢＡＴＴ＿ＳＴＡＴＵＳ＿ＣＨＡＮＧＥＤが含まれていれば、当該スピーカ装置２００はバッテリ情報を自発的に送信することができ、含まれていなければバッテリ情報の自発的な送信をすることができないと判別できる。
【００３０】
なおバッテリ情報取得部１７４は、スピーカ装置２００からバッテリ情報要求があった場合、バッテリ１４０からバッテリ情報を取得するとともに、取得したバッテリ情報のスピーカ装置２００への送信を無線通信制御部１７２に指示する。またバッテリ情報取得部１７４は、スピーカ装置２００からバッテリ情報通知要求を受けると、バッテリ１４０のバッテリ残量が低下した場合に、当該バッテリ残量低下を通知するためのバッテリ情報通知の当該スピーカ装置２００への送信を無線通信制御部１７２に指示する。
【００３１】
報知制御部１７５は、動作制御部１７６から後述するバッテリ残量低下通知指示を受けると、バッテリ残量低下通知を行う。なおバッテリ残量低下通知とは、報知制御部１７５が、音声出力部１２０に対してバッテリ残量低下通知音を出力することや、表示部１３０に対してバッテリ残量が低下した旨を示すバッテリ残量低下通知画面を出力すること、また無線通信制御部１７２に対し、スピーカ装置２００へのバッテリ残量低下通知音声に関するストリーミングデータ送信を指示すること等をいうものとする。
【００３２】
動作制御部１７６は、コンテンツ情報取得部１７３から、コンテンツの再生位置を示す再生位置情報と当該コンテンツの長さを示す再生時間長情報とを取得して、これらの情報から、再生位置がストリーミングデータの終端に達したか否か、即ち無線通信部１１０が、１の音声データについてのストリーミングデータの送信を完了したか否かを判別する。
【００３３】
また動作制御部１７６は、バッテリ情報取得部１７４が取得したバッテリ情報に基づいて、バッテリ１４０及びバッテリ２４０のうち少なくとも一方のバッテリ残量が一定値（閾値）以下になったか否かを判別する。
【００３４】
ここで動作制御部１７６は、バッテリ１４０及びバッテリ２４０のうち少なくとも一方のバッテリ残量が一定値以下になった場合、無線通信部１１０がストリーミングデータの送信を完了したか否かを判別する。そして動作制御部１７６は、無線通信部１１０がストリーミングデータの送信を完了していない場合には、報知制御部１７５へのバッテリ残量低下通知指示を保留して当該ストリーミングデータの送信が完了するのを待機し、当該ストリーミングデータの送信が完了した場合に報知制御部１７５へバッテリ残量低下通知指示を行う。
【００３５】
さらに動作制御部１７６は、１の音声データについてのストリーミングデータの送信が完了した場合に、次に送信されるべきコンテンツ（音声データ）の情報をコンテンツ情報取得部１７３から取得する。ここでコンテンツの情報は、当該コンテンツの再生に要する時間に関する再生時間長情報を含む。そして動作制御部１７６は、バッテリ情報取得部１７４から取得したバッテリ情報と次に送信されるべきコンテンツの再生に要する時間とを比較し、現在のバッテリ残量が次に送信されるべきコンテンツのストリーミングデータの送信完了まで足りるか否かを判別して、次のコンテンツの再生に十分なバッテリ残量でない場合は、バッテリ残量低下通知指示を報知制御部１７５に出力する。
【００３６】
次にスピーカ装置２００について説明する。
スピーカ装置２００は、無線通信部２１０、音声出力部２２０、表示部２３０、バッテリ２４０、処理部２５０、記憶部２６０等を備えている。
無線通信部２１０は、アンテナを用いて無線通信機器１００等の外部機器とＢｌｕｅｔｏｏｔｈ等の通信方式による無線通信を行う。ここで無線通信部２１０は、例えばスピーカ装置２００のバッテリ情報を外部機器である無線通信機器１００に対して送信し、無線通信機器１００から当該機器のバッテリ情報、コンテンツ（音声データ等）のストリーミングデータ、当該ストリーミングデータに対応するコンテンツの再生時間長情報及び再生位置情報等を受信する。
【００３７】
音声出力部２２０は、音声を出力するスピーカであり、無線通信部２１０が受信し、再生制御部２７２が復号したストリーミングデータの音声を出力する。また表示部２３０は映像を出力するディスプレイであり、例えばバッテリ残量低下通知画面を出力する。そしてバッテリ２４０はスピーカ装置２００の駆動電力を供給する。また処理部２５０は、記憶部２６０に格納された制御アプリケーション２７０を実行するプロセッサである。
【００３８】
記憶部２６０は、スピーカ装置２００において実行される制御アプリケーション２７０を記憶しており、当該制御アプリケーション２７０は、無線通信制御部２７１、再生制御部２７２、コンテンツ情報取得部２７３、バッテリ情報取得部２７４、報知制御部２７５、動作制御部２７６等から構成されている。
【００３９】
続いて制御アプリケーション２７０を構成する各機能ブロックについて説明する。なお、制御アプリケーション２７０の各機能ブロックは、無線通信機器１００の制御アプリケーション１７０の各機能ブロックと同様の機能を有するものがある。即ち動作制御部２７６は動作制御部１７６に、無線通信制御部２７１は無線通信制御部１７２に、バッテリ情報取得部２７４はバッテリ情報取得部１７４に、報知制御部２７５は報知制御部１７５に夫々対応する機能ブロックであり、夫々同様の機能を有しているため、ここでは制御アプリケーション１７０と異なる機能を有する機能ブロックを中心に説明する。
【００４０】
無線通信制御部２７１は、無線通信部２１０を制御して、外部機器から送信されたストリーミングデータの受信及び各種要求等の送受信を行う。
再生制御部２７２は、無線通信部２１０が受信したストリーミングデータの再生処理を行う。なおここで再生処理とは、ストリーミングデータを復号して、当該復号で得られる音声を音声出力部２２０に出力する処理をいう。
【００４１】
バッテリ情報取得部２７４は、バッテリ情報取得部１７４と同様に、スピーカ装置２００のバッテリ２４０及び無線通信機器１００のバッテリ１４０に関するバッテリ情報（バッテリ残量に関する情報）を取得することができる。そしてバッテリ情報取得部２７４は、バッテリ２４０のバッテリ情報を取得する場合、無線通信機器１００に対するバッテリ情報要求の送信を無線通信制御部２７１に指示し、当該バッテリ情報要求に対する応答として無線通信機器１００から送信され、無線通信部２１０が受信したバッテリ情報を取得する。またバッテリ情報取得部２７４は、無線通信機器１００が自発的にバッテリ情報を含む通知を送信するよう、当該無線通信機器１００にバッテリ情報通知要求を行うこともできる。
【００４２】
コンテンツ情報取得部２７３は、無線通信機器１００に対して、現在再生中のストリーミングデータに対応するコンテンツの長さについての再生時間長情報を要求する再生時間長情報要求や、現在再生中のストリーミングデータの現在の再生位置情報を要求する再生位置情報要求を無線通信部２１０から送信させることにより、これら要求に対する応答として再生時間長情報や再生位置情報を取得する。
【００４３】
またコンテンツ情報取得部２７３は、無線通信機器１００が自発的に再生位置情報を送信するよう、当該無線通信機器１００に再生位置通知情報通知要求を行うこともできる。例えばコンテンツ情報取得部２７３が、ＢｌｕｅｔｏｏｔｈのＡＶＲＣＰでのＶＥＮＤＥＲ＿ＤＥＰＥＮＤＥＮＴコマンドのＲｅｇｉｓｔｅｒＮｏｒｔｉｆｉｃａｔｉｏｎにてＥＶＥＮＴ＿ＰＬＡＹＢＡＣＫ＿ＰＯＳ＿ＣＨＡＮＧＥＤを指定した再生位置情報通知要求を無線通信制御部２７１から無線通信機器１００に送信させることにより、無線通信機器１００は、当該無線通信機器１００の再生位置情報をスピーカ装置２００に通知するようになる。
【００４４】
なお、スピーカ装置２００の通信相手の外部機器である無線通信機器１００が必ずしも自発的にバッテリ情報を通知できるとは限らないが、スピーカ装置２００は、通信相手の外部機器に対して再生位置情報通知可否応答要求を送信することにより、当該外部機器が自発的に再生位置情報を送信可能か否かについて判定することができる。
【００４５】
ここでコンテンツ情報取得部２７３は、例えばＢｌｕｅｔｏｏｔｈのＡＶＲＣＰでのＶＥＮＤＥＲ  ＤＥＰＥＮＣＥＮＴコマンドのＧｅｔＣａｐａｂｉｌｉｔｉｅｓにＥＶＥＮＴＳ＿ＳＵＰＰＯＲＴＥＤを指定した再生位置情報通知可否応答要求を外部機器に送信し、その応答の中にＥＶＥＮＴ＿ＰＬＡＹＢＡＣＫ＿ＰＯＳ＿ＣＨＡＮＧＥＤが含まれるか否かにより、無線通信機器１００が自発的に再生位置を送信可能か否かの判定を行うことができる。より具体的には、スピーカ装置２００が送信した再生位置情報通知可否応答要求に対する外部機器からの応答中にＥＶＥＮＴ＿ＰＬＡＹＢＡＣＫ＿ＰＯＳ＿ＣＨＡＮＧＥＤが含まれていると、無線通信機器１００は再生位置情報を自発的に送信することができ、ＥＶＥＮＴ＿ＰＬＡＹＢＡＣＫ＿ＰＯＳ＿ＣＨＡＮＧＥＤが含まれていなければ再生位置情報を自発的に送信することはできないものと判別できる。
【００４６】
バッテリ情報取得部２７４はスピーカ装置２００のバッテリ２４０及び無線通信機器１００のバッテリ１４０に関するバッテリ情報（バッテリ残量に関する情報）を取得することができる。なおバッテリ情報取得部２７４は、無線通信機器１００のバッテリ情報取得部１７４と同様の機能を持つため、詳細な説明は省略する。
【００４７】
報知制御部２７５は、動作制御部２７６からバッテリ残量低下通知指示を受け取ると、バッテリ残量低下通知を行う。ここでバッテリ残量低下通知とは、報知制御部２７５が、音声出力部２２０に対してバッテリ残量低下通知音を出力することや、バッテリ残量が低下した旨を示すバッテリ残量低下通知画面を表示部２３０に出力すること等をいう。
【００４８】
動作制御部２７６は、コンテンツ情報取得部２７３から、ストリーミングデータの再生位置を示す再生位置情報と当該ストリーミングデータに対応するコンテンツの長さを示す再生時間長情報とを取得して、これらの情報から、ストリーミングデータの再生位置が当該ストリーミングデータの終端に達する時刻、即ち無線通信部２１０が、１の音声データについてのストリーミングデータの受信し、再生制御部２７２で再生を完了する終了予定時刻を算出する。そして動作制御部２７６は、バッテリ情報取得部２７４が取得したバッテリ情報と、再生中のストリーミングデータの再生終了予定時刻とに基づいて、スピーカ装置２００及び無線通信機器１００のうち少なくとも一方のバッテリの残量が一定値以下になり、かつ、ストリーミングが終了した場合にバッテリ残量低下通知を報知制御部２７５に指示する。
【００４９】
続いて図３を参照して本実施形態に係る無線通信機器１００の処理動作の一例について説明する。
まず無線通信制御部１７２は、無線通信部１１０を制御して、スピーカ装置２００との通信接続を確立する（Ｓ３０１）。続いてバッテリ情報取得部１７４は、スピーカ装置２００にバッテリ情報通知可否応答要求を送信する（Ｓ３０２）。そして無線通信機器１００が、当該要求に対するバッテリ情報通知が可能である旨の応答を受け取ると（Ｓ３０３のＹｅｓ）、バッテリ情報取得部１７４はスピーカ装置２００にバッテリ情報通知要求を送信する（Ｓ３０４）。一方、スピーカ装置２００がバッテリ情報通知を送信できない場合（Ｓ３０３のＮｏ）、動作制御部１７６は、バッテリ情報取得部１７４がバッテリ情報要求をスピーカ装置２００に定期的に送信するよう設定する（Ｓ３０５）。
【００５０】
続いて無線通信機器１００は、スピーカ装置２００に対してストリーミングデータの送信を開始する（Ｓ３０６）。次にバッテリ情報取得部１７４は、バッテリ情報要求を定期的に送信するよう設定されているか否か判別する（Ｓ３０７）。そしてＳ３０５における設定がなされている場合（Ｓ３０７のＹｅｓ）、バッテリ情報取得部１７４は、バッテリ情報要求を送信する時刻か否か判別する（Ｓ３０８）。
【００５１】
バッテリ情報要求を送信する時刻である場合（Ｓ３０８のＹｅｓ）、バッテリ情報取得部１７４は、無線通信制御部１７２に対し、スピーカ装置２００へのバッテリ情報要求の送信を指示する。そしてバッテリ情報取得部１７４が、当該要求に対してスピーカ装置２００から受信したバッテリ情報を取得すると（Ｓ３０９）、続いてバッテリ情報取得部１７４は、自機器のバッテリ情報を取得する（Ｓ３１０）。
【００５２】
そして動作制御部１７６は、取得したバッテリ情報に基づいて、無線通信機器１００及びスピーカ装置２００のうち少なくとも一方のバッテリ残量が一定値以下であるか否か判別する（Ｓ３１１）。そしてバッテリ残量が一定値以下である場合（Ｓ３１１のＹｅｓ）、動作制御部１７６は、バッテリ残量が不足している旨のフラグを立て（Ｓ３１２）、コンテンツ情報取得部１７３の再生時間長情報と再生位置情報とに基づいて、無線通信部１１０が送信しているストリーミングデータが終端に達したか否か判別する（Ｓ３１３）。そして終端に達した場合（Ｓ３１３のＹｅｓ）、動作制御部１７６はＳ３１９の処理を行う。
【００５３】
また、Ｓ３０８において、バッテリ情報要求を送信する時刻でない場合（Ｓ３０８のＮｏ）、無線通信機器１００はストリーミング中のデータが終端に達したか否かを判別する（Ｓ３１４）。そして終端に達した場合には（Ｓ３１４のＹｅｓ）無線通信機器１００はＳ３１９の処理を行い、終端に達していない場合には（Ｓ３１４のＮｏ）、無線通信機器１００は再びＳ３０８の処理を行う。
【００５４】
また、Ｓ３０７において、バッテリ情報要求を定期的に送信するよう設定されていないと判別された場合（Ｓ３０７のＮｏ）、即ちＳ３０４においてバッテリ情報通知要求を送信している場合、バッテリ情報取得部１７４はスピーカ装置２００からバッテリ情報通知を取得したか否か判別する（Ｓ３１５）。そしてバッテリ情報通知を受け取った場合（Ｓ３１５のＹｅｓ）、続いてバッテリ情報取得部１７４は自機器のバッテリ情報を取得する（Ｓ３１６）。
【００５５】
そして動作制御部１７６は、取得したバッテリ情報に基づいて、無線通信機器１００及びスピーカ装置２００のうち少なくとも一方のバッテリ残量が一定値以下であるか否か判別する（Ｓ３１７）。そしてバッテリ残量が一定値以下である場合（Ｓ３１７のＹｅｓ）、動作制御部１７６はＳ３１２の処理を行う。一方無線通信機器１００及びスピーカ装置２００の両方のバッテリ残量が一定値以上である場合（Ｓ３１７のＮｏ）、無線通信機器１００はＳ３１８の処理を行う。
【００５６】
そして無線通信部１１０が送信しているストリーミングデータが終端に達した場合（Ｓ３１８のＹｅｓ）、続いて報知制御部１７５は、バッテリ不足フラグが立っているか否かを判別する（Ｓ３１９）。ここでバッテリ不足フラグが立っていない場合（Ｓ３１９のＮｏ）、無線通信機器１００は次の音声データのストリーミングデータの送信を開始する（Ｓ３０６）。
【００５７】
一方バッテリ不足フラグが立っている場合（Ｓ３１９のＹｅｓ）、報知制御部１７５は、無線通信制御部１７２に対して、バッテリ残量低下警告音をスピーカ装置２００に送信するよう指示し（Ｓ３２０）、音声出力部１２０にバッテリ残量低下警告音を出力させ（Ｓ３２１）、無線通信制御部１７２にスピーカ装置２００との無線通信接続を切断させる（Ｓ３２２）。
【００５８】
続いて図４を参照して、本実施形態に係る無線通信機器１００が行う処理の一例について説明する。
無線通信部１１０がストリーミングデータの送信を開始し（Ｓ４０１）、その後無線通信部１１０が送信しているストリーミングデータが終端に達すると（Ｓ４０２のＹｅｓ）、コンテンツ情報取得部１７３は次に送信すべきコンテンツ（音声データ）があるか否か判別する（Ｓ４０３）。そして送信すべきコンテンツがある場合（Ｓ４０３のＹｅｓ）、コンテンツ情報取得部１７３は次に送信すべきコンテンツについての再生時間長情報を取得する（Ｓ４０４）。
【００５９】
続いてバッテリ情報取得部１７４は、バッテリ１４０及びバッテリ２４０のバッテリ情報を取得する（Ｓ４０５、Ｓ４０６）。なおここでバッテリ情報取得部１７４は、バッテリ２４０のバッテリ情報を、バッテリ情報要求を送信することにより取得しても良いし、あるいは予めバッテリ情報通知要求を送信することによりスピーカ装置２００にバッテリ情報通知を送信させても良い。
【００６０】
そして動作制御部１７６は、バッテリ情報取得部１７４が取得したバッテリ情報と、コンテンツ情報取得部１７３が取得した再生時間長情報とに基づいて、無線通信機器１００及びスピーカ装置２００の各々の現在のバッテリ残量が、次に送信すべきストリーミングデータの送信完了するために必要なバッテリ残量を満たしているか否かを判別する（Ｓ４０７）。
【００６１】
そして、無線通信機器１００及びスピーカ装置２００の各々のバッテリ残量が必要なバッテリ残量以上である場合（Ｓ４０７のＮｏ）、無線通信機器１００は次のストリーミングデータを送信を開始し（Ｓ４０１）、必要なバッテリ残量未満である場合は（Ｓ４０７のＮｏ）Ｓ４０８〜Ｓ４１０の処理を行う。なおＳ４０８〜Ｓ４１０の処理は図３におけるＳ３２０〜Ｓ３２２の処理と同様であるため説明を省略する。
【００６２】
本実施形態に拠れば、無線通信機器１００は、当該無線通信機器１００及びスピーカ装置２００からバッテリ情報を取得することができ、また、ストリーミングが終了したか否かを判別することができる。これにより無線通信機器１００は、当該無線通信機器１００及びスピーカ装置２００のうち一方のバッテリの残量が一定値以下になった場合、ストリーミングが終了した後にバッテリ残量低下通知を行うことができる。
【００６３】
（第２実施形態）
次に、本発明の第２実施形態に係る無線通信システムについて説明する。なお第２実施形態に係る装置の利用形態及びシステム構成は、第１実施形態と同様であるため説明を省略する。
【００６４】
第１実施形態に係る無線通信システムは、無線通信機器１００が、再生位置情報及び当該無線通信機器１００とスピーカ装置２００とのバッテリ情報を取得して、当該再生位置情報及びバッテリ情報に基づいてバッテリ残量低下通知を行う。これに対し第２実施形態に係る無線通信システムは、スピーカ装置２００がバッテリ情報及び再生位置情報を取得して、これらの情報に基づいてスピーカ装置２００がバッテリ残量低下通知を行うものである。
【００６５】
以下、図５乃至図７を参照して、第２実施形態に係るスピーカ装置２００の動作手順について説明する。
まず無線通信制御部２７１が無線通信部２１０を制御して無線通信機器１００との無線通信接続を確立すると（Ｓ５０１）、バッテリ情報取得部２７４はバッテリ情報通知可否応答要求を無線通信機器１００に送信し（Ｓ５０２）、無線通信機器１００がバッテリ情報通知可能である場合（Ｓ５０３のＹｅｓ）、バッテリ情報取得部２７４は無線通信機器１００にバッテリ情報通知要求を送信する（Ｓ５０４）。一方無線通信機器１００がバッテリ情報通知不可である場合（Ｓ５０３のＮｏ）、動作制御部１７６は、バッテリ情報取得部２７４が定期的にバッテリ情報を取得するよう設定する（Ｓ５０５）。
【００６６】
続いてコンテンツ情報取得部２７３は、無線通信機器１００に再生位置情報通知可否応答要求を送信する（Ｓ５０６）。そして当該要求に対する、再生位置情報通知が可能である旨の応答を無線通信機器１００から受け取ると（Ｓ５０７のＹｅｓ）、コンテンツ情報取得部２７３は、無線通信機器１００に再生位置情報通知要求を送信する（Ｓ５０８）。一方、無線通信機器１００が再生位置情報通知を送信できない場合（Ｓ５０７のＮｏ）、動作制御部１７６は、コンテンツ情報取得部２７３が無線通信機器１００に対して再生位置情報要求を送信するよう設定する（Ｓ５０９）。
【００６７】
そしてスピーカ装置２００は、無線通信機器１００からのストリーミングデータの受信を開始すると（Ｓ５１０）、現在受信中のストリーミングデータに対応するコンテンツ（音声データ）の再生時間長情報を要求する再生時間長情報要求を無線通信機器１００に送信し、再生時間長情報を取得する（Ｓ５１１）。
【００６８】
そしてスピーカ装置２００が、Ｓ５０９における再生位置情報要求の設定処理を行っている場合（Ｓ５１２のＹｅｓ）、バッテリ情報取得部２７４は、バッテリ情報要求を送信する時刻か否か判別する（Ｓ５１２）。ここでバッテリ情報要求を送信する時刻である場合（Ｓ５１２のＹｅｓ）、バッテリ情報取得部２７４は、無線通信制御部２７１に対してバッテリ情報要求を無線通信機器１００に送信するよう指示する。そしてバッテリ情報取得部２７４が、当該要求に対して無線通信機器１００から受信したバッテリ情報を取得すると（Ｓ５１４）、続いてバッテリ情報取得部２７４は、自機器のバッテリ情報を取得する（Ｓ５１５）。
【００６９】
そして動作制御部２７６は、取得したバッテリ情報に基づいて、スピーカ装置２００及び無線通信機器１００のうち少なくとも一方のバッテリ残量が一定値以下であるか否かを判別する（Ｓ５１６）。そしてバッテリ残量が一定値以下である場合（Ｓ５１６のＹｅｓ）、動作制御部２７６は、バッテリ残量が不足している旨のフラグを立て（Ｓ５１７）、再生位置取得処理を行う（Ｓ５１８）。なお再生位置取得処理については図６を参照して後述する。
【００７０】
次に動作制御部２７６は、現在時刻がコンテンツ情報取得部２７３の再生時間長情報と再生位置情報とに基づいて算出したストリーミングの終了予定時刻であるか否かを判別する（Ｓ５１９）。そして終了予定時刻である場合（Ｓ５１９のＹｅｓ）、動作制御部２７６はＳ５２７の処理を行う。
【００７１】
また、Ｓ５１３において、バッテリ情報要求を送信する時刻でない場合（Ｓ５１３のＮｏ）、スピーカ装置２００は再生位置取得処理を行い（Ｓ５２０）、ストリーミング終了時刻であるか否かを判別する（Ｓ５２１）。そしてストリーミング終了時刻である場合（Ｓ５２１のＹｅｓ）、スピーカ装置２００はＳ５２７の処理を行い、ストリーミング終了時刻でない場合（Ｓ５２１のＮｏ）、無線通信機器１００は再びＳ５１３の処理を行う。
【００７２】
また、Ｓ５１２において、バッテリ情報要求を送信するよう設定されていないと判別された場合（Ｓ５１２のＮｏ）、即ちＳ５０４においてバッテリ情報通知要求を送信している場合、バッテリ情報取得部２７４は無線通信機器１００からバッテリ情報通知を取得したか否か判別する（Ｓ５２２）。そしてバッテリ情報通知を受け取った場合（Ｓ５２２のＹｅｓ）、続いてバッテリ情報取得部２７４はバッテリ２４０のバッテリ情報を取得する（Ｓ５２３）。
【００７３】
そして動作制御部２７６は、取得したバッテリ情報に基づいて、無線通信機器１００及びスピーカ装置２００のうち少なくとも一方のバッテリ残量が一定値以下であるか否か判別する（Ｓ５２４）。そしてバッテリ残量が一定値以下である場合（Ｓ５２４のＹｅｓ）、動作制御部２７６はＳ５１７の処理を行う。一方無線通信機器１００及びスピーカ装置２００の両方のバッテリ残量が一定値以上である場合（Ｓ５２４のＮｏ）、スピーカ装置２００は再生位置取得処理を行い（Ｓ５２５）、ストリーミング終了時刻であるか否かを判別する（Ｓ５２６）。そしてストリーミング終了時刻である場合（Ｓ５２６のＹｅｓ）、スピーカ装置２００はＳ５２７の処理を行い、ストリーミング終了時刻でない場合（Ｓ５２６のＮｏ）、無線通信機器１００は再びＳ５２２の処理を行う。
【００７４】
そしてストリーミング終了予定時刻になった場合（Ｓ５２６のＹｅｓ）、続いて報知制御部２７５は、バッテリ不足フラグが立っているか否かを判別する（Ｓ５２７）。ここでバッテリ不足フラグが立っていない場合（Ｓ５２７のＮｏ）、無線通信機器１００は次のコンテンツ（音声データ）のストリーミングデータ受信を継続する（Ｓ５１０）。
【００７５】
一方バッテリ不足フラグが立っている場合（Ｓ５２７のＹｅｓ）、報知制御部２７５は音声出力部１２０にバッテリ残量低下警告音を出力させ（Ｓ５２８）、無線通信制御部２７３はストリーミング処理を停止し無線通信接続を切断する（Ｓ５２９）。
【００７６】
次に図７を参照して、スピーカ装置２００が行う再生位置取得処理について説明する。
再生位置取得処理では、まずコンテンツ情報取得部２７３が、図６のＳ５０９において無線通信機器１００に再生位置情報要求を送信するよう設定されたか否かを判別する（Ｓ７０１）。そして再生位置情報要求を送信するよう設定されている場合（Ｓ７０１のＹｅｓ）、続いてコンテンツ情報取得部２７３は、再生位置情報要求を送信する時刻か否かを判別し（Ｓ７０２）、再生位置情報要求を送信する時刻になると（Ｓ７０２のＹｅｓ）、無線通信制御部２７１に再生位置情報要求の無線通信機器１００への送信を指示し（Ｓ７０３）、無線通信機器１００から再生位置情報を取得する。
【００７７】
また、Ｓ７０１において再生位置情報要求を送信するよう設定されていないと判別された場合（Ｓ７０１のＮｏ）、コンテンツ情報取得部２７３は、無線通信機器１００から送信された再生位置情報を受信したか否か判別し（Ｓ７０４）、再生位置情報を受信すると（Ｓ７０４のＹｅｓ）、当該再生位置取得処理は終了する。
【００７８】
第２実施形態によれば、スピーカ装置２００は、無線通信機器１００及びスピーカ装置２００の両方のバッテリの残量に基づいて、無線通信機器１００及びスピーカ装置２００のうち少なくとも一方のバッテリ残量が一定値以下である場合かつストリーミングが終了した後に、バッテリ残量低下通知を行うことができるため、ユーザの不快感を軽減することができる。
【００７９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態にわたる構成要素を適宜組み合わせてもよい。
【符号の説明】
【００８０】
１００…無線通信機器、１１０…無線通信部、１２０…音声出力部、１３０…表示部、１４０…バッテリ、１５０…処理部、１６０…記憶部、１７０…制御アプリケーション、１７１…再生制御部、１７２…無線通信制御部、１７３…コンテンツ情報取得部、１７４…バッテリ情報取得部、１７５…報知制御部、１７６…動作制御部、１８０…音声データ、１９０…映像データ、２００…スピーカ装置、２１０…無線通信部、２２０…音声出力部、２３０…表示部、２４０…バッテリ、２５０…処理部、２６０…記憶部、２７０…制御アプリケーション、２７１…無線通信制御部、２７２…再生制御部、２７３…コンテンツ情報取得部、２７４…バッテリ情報取得部、２７５…報知制御部、２７６…動作制御部
【図１】
2011160161.tif 000003
【図２】
2011160161.tif 000004
【図３】
2011160161.tif 000005
【図４】
2011160161.tif 000006
【図５】
2011160161.tif 000007
【図６】
2011160161.tif 000008
【図７】
2011160161.tif 000009
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
バッテリと、
外部機器に対して、１以上のストリーミングデータを無線通信により送信する無線通信手段と、
前記外部機器及び前記バッテリのうち少なくとも一方に関するバッテリ情報を取得する取得手段と、
前記取得手段が取得した前記バッテリ情報に基づき、前記ストリーミングデータの送信完了後にバッテリ残量が低下した旨を報知するとともに、新たなストリーミングデータの送信を行わない制御手段と
を備えることを特徴とする無線通信機器。
【請求項２】
前記制御手段は、バッテリ残量が低下した旨を示す報知音のストリーミングデータを前記外部機器に対して前記無線通信により送信することにより、前記報知を行うことを特徴とする請求項１記載の無線通信機器。
【請求項３】
前記取得手段は、前記バッテリの残量に関する前記バッテリ情報を取得し、
前記制御手段は、前記バッテリ情報に基づいて、前記バッテリの残量が一定値以下の場合、前記ストリーミングデータの送信完了後に、前記報知を行う
ことを特徴とする請求項１記載の無線通信機器。
【請求項４】
前記取得手段は、前記バッテリの残量に関するバッテリ情報、及び前記外部機器のバッテリの残量に関する前記バッテリ情報を前記無線通信により取得し、
前記制御手段は、前記バッテリ情報に基づき、前記外部機器のバッテリ及び前記バッテリのうち少なくとも一方のバッテリの残量が一定値以下の場合、前記ストリーミングデータを送信完了後に前記報知を行う
ことを特徴とする請求項１記載の無線通信機器。
【請求項５】
前記取得手段は、前記バッテリ情報を、前記ストリーミングデータの送信完了の一定時間前に取得する
ことを特徴とする請求項１記載の無線通信機器。
【請求項６】
前記取得手段は、前記ストリーミングデータの送信が完了した場合に前記バッテリ情報を取得する
ことを特徴とする請求項１記載の無線通信機器。
【請求項７】
前記取得手段は、前記外部機器に対して前記バッテリ情報を含む通知を要求する
ことを特徴とする請求項１記載の無線通信機器。
【請求項８】
バッテリと、
外部機器から、無線通信によりストリーミングデータを受信する無線通信手段と、
前記外部機器及び前記バッテリのうち少なくとも一方に関するバッテリ情報を取得するバッテリ情報取得手段と、
前記無線通信手段が受信した前記ストリーミングデータの音声を出力する音声出力手段と、
前記取得手段が取得した前記バッテリ情報に基づいて、前記ストリーミングデータの音声出力完了後に報知を行う報知手段と
を備え、
前記音声出力手段は、前記報知手段が報知した後、新たなストリーミングデータの音声を出力しない
ことを特徴とする無線通信機器。
【請求項９】
前記バッテリ情報取得手段は、前記バッテリの残量に関する前記バッテリ情報を取得し、
前記報知手段は、前記バッテリ情報に基づいて、前記バッテリの残量が一定値以下の場合、前記ストリーミングデータの音声出力後に前記報知を行う
ことを特徴とする請求項８記載の無線通信機器。
【請求項１０】
前記取得手段は、前記外部機器のバッテリの残量に関する前記バッテリ情報を無線通信により取得し、
前記報知手段は、前記バッテリ情報に基づいて、前記外部機器のバッテリ及び前記バッテリのうち少なくとも一方のバッテリの残量が一定値以下の場合、前記ストリーミングデータの音声出力完了後に前記報知を行う
ことを特徴とする請求項８記載の無線通信機器。
【請求項１１】
前記外部機器から、前記ストリーミングデータについての再生位置情報を取得する再生位置取得手段を更に備え、
前記報知手段は、前記再生位置情報に基づいて、前記ストリーミングデータの音声出力完了後に前記報知を行う
ことを特徴とする請求項８記載の無線通信機器。
【請求項１２】
前記無線通信手段は、前記バッテリ情報に基づいて、前記ストリーミングデータの音声出力完了後に、前記外部機器との無線通信接続を切断する
ことを特徴とする請求項８記載の無線通信機器。
【請求項１３】
前記取得手段は、前記ストリーミングデータの音声出力完了の一定時間前に前記バッテリ情報を取得する
ことを特徴とする請求項８記載の無線通信機器。
【請求項１４】
前記取得手段は、前記ストリーミングデータの音声出力が完了した場合に前記バッテリ情報を取得する
ことを特徴とする請求項８記載の無線通信機器。
【請求項１５】
バッテリを備え、外部機器にストリーミングデータを通信する無線通信機器におけるバッテリ残量報知方法であって、
ストリーミングデータを無線通信により送信又は受信するステップと、
前記バッテリ及び前記外部機器のうち少なくとも一方に関するバッテリ情報を取得するステップと、
取得した前記バッテリ情報に基づき、前記ストリーミングデータの通信が完了した場合にバッテリ残量が低下した旨の報知を行うステップと
を備えることを特徴とするバッテリ残量報知方法。
【手続補正２】
【補正対象書類名】明細書
【補正対象項目名】００４１
【補正方法】変更
【補正の内容】
【００４１】
バッテリ情報取得部２７４は、バッテリ情報取得部１７４と同様に、スピーカ装置２００のバッテリ２４０及び無線通信機器１００のバッテリ１４０に関するバッテリ情報（バッテリ残量に関する情報）を取得することができる。そしてバッテリ情報取得部２７４は、バッテリ１４０のバッテリ情報を取得する場合、無線通信機器１００に対するバッテリ情報要求の送信を無線通信制御部２７１に指示し、当該バッテリ情報要求に対する応答として無線通信機器１００から送信され、無線通信部２１０が受信したバッテリ情報を取得する。またバッテリ情報取得部２７４は、無線通信機器１００が自発的にバッテリ情報を含む通知を送信するよう、当該無線通信機器１００にバッテリ情報通知要求を行うこともできる。
【手続補正３】
【補正対象書類名】明細書
【補正対象項目名】００４４
【補正方法】変更
【補正の内容】
【００４４】
なお、スピーカ装置２００の通信相手の外部機器である無線通信機器１００が必ずしも自発的に再生位置情報を通知できるとは限らないが、スピーカ装置２００は、通信相手の外部機器に対して再生位置情報通知可否応答要求を送信することにより、当該外部機器が自発的に再生位置情報を送信可能か否かについて判定することができる。
【手続補正４】
【補正対象書類名】明細書
【補正対象項目名】００６１
【補正方法】変更
【補正の内容】
【００６１】
そして、無線通信機器１００及びスピーカ装置２００の各々のバッテリ残量が必要なバッテリ残量以上である場合（Ｓ４０７のＮｏ）、無線通信機器１００は次のストリーミングデータの送信を開始し（Ｓ４０１）、必要なバッテリ残量未満である場合は（Ｓ４０７のＹｅｓ）Ｓ４０８〜Ｓ４１０の処理を行う。なおＳ４０８〜Ｓ４１０の処理は図３におけるＳ３２０〜Ｓ３２２の処理と同様であるため説明を省略する。
【手続補正５】
【補正対象書類名】明細書
【補正対象項目名】００６５
【補正方法】変更
【補正の内容】
【００６５】
以下、図５乃至図７を参照して、第２実施形態に係るスピーカ装置２００の動作手順について説明する。
まず無線通信制御部２７１が無線通信部２１０を制御して無線通信機器１００との無線通信接続を確立すると（Ｓ５０１）、バッテリ情報取得部２７４はバッテリ情報通知可否応答要求を無線通信機器１００に送信し（Ｓ５０２）、無線通信機器１００がバッテリ情報通知可能である場合（Ｓ５０３のＹｅｓ）、バッテリ情報取得部２７４は無線通信機器１００にバッテリ情報通知要求を送信する（Ｓ５０４）。一方無線通信機器１００がバッテリ情報通知不可である場合（Ｓ５０３のＮｏ）、動作制御部２７６は、バッテリ情報取得部２７４が定期的にバッテリ情報を取得するよう設定する（Ｓ５０５）。
【手続補正６】
【補正対象書類名】明細書
【補正対象項目名】００６６
【補正方法】変更
【補正の内容】
【００６６】
続いてコンテンツ情報取得部２７３は、無線通信機器１００に再生位置情報通知可否応答要求を送信する（Ｓ５０６）。そして当該要求に対する、再生位置情報通知が可能である旨の応答を無線通信機器１００から受け取ると（Ｓ５０７のＹｅｓ）、コンテンツ情報取得部２７３は、無線通信機器１００に再生位置情報通知要求を送信する（Ｓ５０８）。一方、無線通信機器１００が再生位置情報通知を送信できない場合（Ｓ５０７のＮｏ）、動作制御部２７６は、コンテンツ情報取得部２７３が無線通信機器１００に対して再生位置情報要求を送信するよう設定する（Ｓ５０９）。
【手続補正７】
【補正対象書類名】明細書
【補正対象項目名】００６８
【補正方法】変更
【補正の内容】
【００６８】
そしてスピーカ装置２００が、Ｓ５０９における再生位置情報要求の設定処理を行っている場合（Ｓ５１２のＹｅｓ）、バッテリ情報取得部２７４は、バッテリ情報要求を送信する時刻か否か判別する（Ｓ５１３）。ここでバッテリ情報要求を送信する時刻である場合（Ｓ５１３のＹｅｓ）、バッテリ情報取得部２７４は、無線通信制御部２７１に対してバッテリ情報要求を無線通信機器１００に送信するよう指示する。そしてバッテリ情報取得部２７４が、当該要求に対して無線通信機器１００から受信したバッテリ情報を取得すると（Ｓ５１４）、続いてバッテリ情報取得部２７４は、自機器のバッテリ情報を取得する（Ｓ５１５）。
【手続補正８】
【補正対象書類名】明細書
【補正対象項目名】００７５
【補正方法】変更
【補正の内容】
【００７５】
一方バッテリ不足フラグが立っている場合（Ｓ５２７のＹｅｓ）、報知制御部２７５は音声出力部２２０にバッテリ残量低下警告音を出力させ（Ｓ５２８）、無線通信制御部２７３はストリーミング処理を停止し無線通信接続を切断する（Ｓ５２９）。
【手続補正９】
【補正対象書類名】明細書
【補正対象項目名】００７６
【補正方法】変更
【補正の内容】
【００７６】
次に図７を参照して、スピーカ装置２００が行う再生位置取得処理について説明する。
再生位置取得処理では、まずコンテンツ情報取得部２７３が、図５のＳ５０９において無線通信機器１００に再生位置情報要求を送信するよう設定されたか否かを判別する（Ｓ７０１）。そして再生位置情報要求を送信するよう設定されている場合（Ｓ７０１のＹｅｓ）、続いてコンテンツ情報取得部２７３は、再生位置情報要求を送信する時刻か否かを判別し（Ｓ７０２）、再生位置情報要求を送信する時刻になると（Ｓ７０２のＹｅｓ）、無線通信制御部２７１に再生位置情報要求の無線通信機器１００への送信を指示し（Ｓ７０３）、無線通信機器１００から再生位置情報を取得する。